(57)【要約】      （修正有）【課題】振動などでアンカーナットに締結されたアンカーボルトが緩み、このボルトがアンカーナットから脱落することを防止するための拡張アンカー装置を提供する。【解決手段】アンカーボルト４の雄ネジ溝４１に嵌り込むコイル部５１を有するコイルバネと、コイルバネを収容可能とし、雌ネジ溝２３よりアンカーナット２の先端部２ｂに位置するバネ収納室２４と、バネ収納室２４の周壁２４ｂに縦溝２５を開口してなり、コイルバネは前記コイル部５１の一端部５２または他端部５３の外周より接線上に沿い延出し、コイル部５１の軸線に対し平行になるよう屈曲してなる先端５４を有し、先端５４を前記縦溝２５に挿入し、コイル部５１をバネ収納室２４内で、円周方向の移動を規制するとともに、軸方向に移動可能にする。【選択図】図２
2018066251.tif 000002
【特許請求の範囲】
【請求項１】
建築構造物に穿設された下孔に埋設する拡張アンカーであって、底部に複数の割り溝が設けられて拡開可能な拡開部を有し、中間部の内周に雌ネジ部が形成される筒状のアンカーナットと、前記アンカーナットの前記雌ネジ溝に螺合される雄ネジ溝を有するアンカーボルトと、前記拡開部に嵌入されるコーンとを備え、
前記アンカーボルトの前記雄ネジ溝に嵌り込むコイル部を有するコイルバネと、このコイルバネを収容可能とし、前記雌ネジ溝より前記アンカーナットの先端部に位置するバネ収納室と、前記バネ収納室の周壁に縦溝を開口してなり、
前記コイルバネは前記コイル部の一端部または他端部の外周より接線上に沿い延出し、前記コイル部の軸線に対し平行になるよう屈曲してなる先端を有し、
前記先端を前記縦溝に挿入し、前記コイル部を前記バネ収納室内で、円周方向の移動を規制するとともに、軸方向に移動可能にすることを特徴とする拡張アンカー。
【請求項２】
前記コイルバネの前記コイル部の前記一端部に対向する前記他端部を前記バネ収納室の内径と同一の外径とし、この前記他端部を二巻以内とすることを特徴とする請求項１に記載の拡張アンカー。
【請求項３】
前記コイル部の前記一端部から前記他端部までのバネ高さは、前記バネ収納室の深さ以下とすることを特徴とする請求項２に記載の拡張アンカー。
【発明の詳細な説明】
【技術分野】
【０００１】  この発明は、建築構造物より発生する振動などでアンカーナットに螺合したアンカーボルトが緩み、このアンカーボルトがアンカーナットから脱落することを防止するための拡張アンカーに関するものである。
【背景技術】
【０００２】  周知のように、コンクリート製の建築構造物に穿設した下穴に拡開部を有する筒状のアンカーナットを所定の深さまで挿入し、打撃等により筒状のアンカーナットの拡開部内に、コーンの打ち込みによるコーンの圧入により拡開部を凸状に拡開して、拡開部をコンクリートの下穴の周壁に喰い込ませて楔作用で筒状のアンカーナットにかかる引張力に抵抗するようにした拡張アンカーがある。（特許文献１）【０００３】  この特許文献１に記載の筒状のアンカーナットでは、前記コーンの挿入で拡開部が広がる形状にするので、この形状の変化が影響して筒状のアンカーナットの雌ネジ溝の内径が大きくなり、筒状のアンカーナットにネジ込まれるアンカーボルトのネジ込み嵌合を緩くし、しかも、アンカーボルトの螺合する雌ネジ長が短いので、建築構築物からの振動が筒状のアンカーナットに伝わり、筒状のアンカーナットの雌ネジにネジ込まれているアンカーボルトが緩んでアンカーナットから脱落してしまう虞があるとともに、筒状のアンカーナットにアンカーボルトを螺合することが円滑にできないなどの問題があった。
【先行技術文献】
【特許文献】
【０００４】
【特許文献１】特開２００２−３５６８４８号公報
【発明の概要】
【発明が解決しようとする課題】
【０００５】  この発明は、以上のようなことを考慮してなされたもので、コンクリートなどの建築構築物に固定されるアンカナットーにアンカーボルトが円滑に螺合され、長期間にわたって振動や外力等が作用することによるアンカーボルトの緩みによる脱落を確実に防止することができ、しかも、前記アンカーボルトを前記コイルバネのコイル部に円滑に螺合できる拡張アンカーを提供することを目的とする。
【課題を解決するための手段】
【０００６】  前記課題を解決し、かつ目的を達成するために、この発明は、以下のように構成した。【０００７】  請求項１に記載の発明は、建築構造物に穿設された下孔に埋設する拡張アンカーであって、底部に複数の割り溝が設けられて拡開可能な拡開部を有し、中間部の内周に雌ネジ部が形成される筒状のアンカーナットと、前記アンカーナットの前記雌ネジ溝に螺合される雄ネジ溝を有するアンカーボルトと、前記拡開部に嵌入されるコーンとを備え、
前記アンカーボルトの前記雄ネジ溝に嵌り込むコイル部を有するコイルバネと、このコイルバネを収容可能とし、前記雌ネジ溝より前記アンカーナットの先端部に位置するバネ収納室と、前記バネ収納室の周壁に縦溝を開口してなり、
前記コイルバネは前記コイル部の一端部または他端部の外周より接線上に沿い延出し、前記コイル部の軸線に対し平行になるよう屈曲してなる先端を有し、
前記先端を前記縦溝に挿入し、前記コイル部を前記バネ収納室内で、円周方向の移動を規制するとともに、軸方向に移動可能にすることを特徴とする拡張アンカーである。【０００８】  請求項２に記載の発明は、前記コイルバネの前記コイル部の前記一端部に対向する前記他端部を前記バネ収納室の内径と同一の外径とし、この前記他端部を二巻以内とすることを特徴とする請求項１に記載の拡張アンカーである。【０００９】  請求項３に記載の発明は、前記コイル部の前記一端部から前記他端部までのバネ高さは、前記バネ収納室の深さ以下とすることを特徴とする請求項２に記載の拡張アンカーである。【００１０】
【発明の効果】
【００１１】  前記構成により、この発明は、以下のような効果を有する。【００１２】  請求項１に記載の発明では、建築構造物に穿設された下孔に埋設する拡張アンカーであって、底部に複数の割り溝が設けられて拡開可能な拡開部を有し、中間部の内周に雌ネジ部が形成される筒状のアンカーナットと、前記アンカーナットの前記雌ネジ溝に螺合される雄ネジ溝を有するアンカーボルトと、前記拡開部に嵌入されるコーンとを備え、
前記アンカーボルトの前記雄ネジ溝に嵌り込むコイル部を有するコイルバネと、このコイルバネを収容可能とし、前記雌ネジ溝より前記アンカーナットの先端部に位置するバネ収納室と、前記バネ収納室の周壁に縦溝を開口してなり、
前記コイルバネは前記コイル部の一端部または他端部の外周より接線上に沿い延出し、前記コイル部の軸線に対し平行になるよう屈曲してなる先端を有し、
前記先端を前記縦溝に挿入し、前記コイル部を前記バネ収納室内で、円周方向の移動を規制するとともに、軸方向に移動可能にするので、前記アンカーナットに螺合した前記アンカーボルトを緩めようとする振動などに対し、前記コイルバネの前記コイル部が前記アンカーボルトの前記雄ネジ溝に密着して回転を阻止することになり、前記アンカーナットに螺合する前記アンカーボルトが緩み脱落することを確実に防止できる。【００１３】  しかも、前記コイル部の軸線に対し平行になるよう屈曲してなる先端を前記縦溝で軸線方向に移動可能にすることにより、前記コイルバネの前記コイル部に前記アンカーボルトの前記雄ネジ溝が螺合し始めると、前記コイルバネの前記他端部が前記縦溝内で軸方向に移動し、前記アンカーボルトの前記雄ネジ溝のピッチに前記コイル部のピッチが容易に螺合することになる。【００１４】  請求項２に記載の発明では、前記コイルバネの前記コイル部の前記一端部に対向する前記他端部を前記バネ収納室の内径と同一の外径とし、この前記他端部を二巻以内とするので、前記コイルバネの前記他端部が前記バネ収納室の内面に密接することになり、前記コイルバネが収納室内で傾いて配置されることがなく、前記アンカーボルトを前記コイルバネのコイル部に円滑に螺合でき、しかも、前記コイル部の軸線に対し平行になるよう屈曲してなる先端が前記縦溝内で軸方向に移動可能になっていても、前記コイルバネが前記アンカーナットから脱落することを確実に防止できる。【００１５】  請求項３に記載の発明では、前記コイル部の前記一端部から前記他端部までのバネ高さは、前記バネ収納室の深さ以下とするので、前記アンカーボルトを前記コイルバネの前記コイル部に螺合する際、コイルバネの上方への少量の移動があっても、前記コイルバネが前記建築用構造物の上面より突出することがなく、前記建築用構造物の上面の前記部品支持部材に干渉しなく、前記部品支持部材が確実に固定できる。
【図面の簡単な説明】
【００１６】
【図１】この発明における拡張アンカーを示す斜視図。
【図２】この発明における第１の実施の態様を示す断面図。
【図３】この発明における第１の実施の態様を示す要部の断面図。
【図４】図３のＡ−Ａ線に沿う断面図。
【図５】この発明における第２の実施の態様を示す要部の断面図。
【図６】この発明における第３の実施の態様を示す断面図。
【図７】この発明の第３の実施の態様における抜け止めリングを示す斜視図。
【発明を実施するための形態】
【００１７】  以下、この発明における拡張アンカーの第１の実施の形態について説明する。この発明の実施の形態は、発明の最も好ましい形態を示すものであり、この発明はこれに限定されない。
【００１８】  この発明における第１の実施の形態を、図１および図４に基づいて説明する。図１は、コンクリートなどの建築構造物７に穿設された下孔８に埋設される拡張アンカー１を示すものである。なお、前記建築構造物７の上面には部品支持部材９等が固定される。
【００１９】  前記拡張アンカー１は、複数の割り溝２１を設けた拡開部２２を有する底部２ａと、前記底部２ａに対向する先端部２ｂと、前記底部２ａと前記先端部２ｂとの間に雌ネジ溝２３が形成された中間部２ｃとを有し、前記下孔８と同一外径の中空筒体のアンカーナット２よりなる。
【００２０】  前記拡開部２２にはコーン３が嵌入されるとともに、前記雌ネジ溝２３には前記アンカーボルト４の前記雄ネジ溝４１が螺合する。
【００２１】  符号５は、前記アンカーナット２の筒体厚みより細径の線材のコイル部５１よりなるコイルバネで、前記コイル部５１の一端部５２と他端部５３間のコイルピッチは前記アンカーボルト４の前記雄ネジ溝４１のピッチと略同一とする。
【００２２】  前記他端部５３は、前記コイル部５１の外周の接線上に沿い前記アンカーボルト４の離脱方向Ｒに延出し、前記アンカーナット２の外径以内に突出する。
【００２３】  さらに、前記他端部５３より前記コイル部５１の軸線に対し平行になるよう屈曲してなる先端５４を有し、この先端５４の屈曲は前記アンカーナット２の前記底部２ａ側から前記先端部２ｂ側に向かうようにする。
【００２４】  前記コイルバネ５は、前記アンカーナット２の先端部２ｂ側に位置するバネ収納室２４の挿入口２４ａより収納され、前記コイル部５１の前記一端部５２から前記他端部５３までのバネ高さＨは、前記バネ収納室２４の深さＤ以下とする。
【００２５】  これにより、前記アンカーボルト４を前記コイルバネ５の前記コイル部５１に螺合する際、前記コイルバネ５の上方への少量の移動があっても、前記コイルバネ５が前記建築用構造物７の上面より突出することがなく、前記建築用構造物７の上面の前記部品支持部材９に干渉しなく、前記部品支持部材９が確実に固定できる。
【００２６】  符号２５は、前記バネ収納室２４の周壁２４ｂに開口した縦溝で、この縦溝２５は一対の前記割り溝２１の延長線Ｌ−Ｌの中間とし、前記アンカーナット２の強度の低下を防止する。
【００２７】  前記縦溝２５に前記コイルバネ５の前記先端５４を挿入し、前記コイル部５１を前記バネ収納室２４内で、円周方向の移動を規制するとともに、軸方向に移動可能にする。
【００２８】  前記コイル部５１の前記一端部５２に対向する他端部５３は、前記バネ収納室２４の内径と同一の外径とし、この他端部５３は一巻にしているが、二巻以内であればよい。
【００２９】  これにより、前記コイルバネ５の前記他端部５３が前記バネ収納室２４の内面に当接することになり、前記コイルバネ５が前記バネ収納室２４内で傾いて配置されることがなく、前記アンカーボルト４の前記雄ネジ溝４１が前記コイルバネ５の前記コイル部５１に円滑に螺合できる。
【００３０】  しかも、前記コイル部５１に前記アンカーボルト４を螺合しない状態で、前記コイルバネ５を収納した前記アンカーナット２を搬送する際、前記他端部５３の前記バネ収納室２４への当接により、前記コイルバネ５の前記バネ収納室２４内からの脱落がなく、前記アンカーナット２が前記コイルバネ５のない不良品とならない。
【００３１】  前記コイルバネ５の収納状態では、前記コイル部５１と前記バネ収納室２４の内面との間に前記コイル部５１が外方へ拡径すること許容するスペースを有することにより、前記アンカーボルト４の前記雄ネジ溝４１に密着する前記コイル部５１との間に隙間をもたせることができる。
【００３２】  以上のように構成された実施の形態において、前記アンカーナット２に前記アンカーボルトを螺合する状態について説明する。まず、前記コイルバネ５の前記コイル部５１に前記アンカーボルト４の前記雄ネジ溝４１が螺合した際、前記コイル部５１の軸線に対し平行な前記先端５４が前記縦溝２５内で軸方向に移動し、前記アンカーボルト４の前記雄ネジ溝４１のピッチに前記コイル部５１のピッチが合致する。
【００３３】  また、前記バネ収納室２４内において前記アンカーボルト４の前記雄ネジ溝４１に嵌め込まれた前記コイル部５１は、前記先端５４を支点として外方へ広がり、前記アンカーボルト４の前記雄ネジ溝４１と接触している前記コイル部５１の摩擦力が軽減され、前記アンカーナット２の前記雌ネジ溝２１に対し前記アンカーボルト４を螺合方向に回転すると、前記アンカーナット２の前記雌ネジ溝２１に前記アンカーボルト４の前記雄ネジ溝４１が円滑にネジ込まれる。
【００３４】  特に、前記アンカーボルト４の螺合方向への回転に伴い前記アンカーボルト４の前記雄ネジ溝４１に前記コイル部５１が密着していることにより、前記コイルバネ５が引きずられて回動しても、前記他端部５３は外周より接線上に沿い前記アンカーボルト４の離脱方向Ｒに延出するので、前記コイルバネ５の前記先端５４が前記縦溝２５の一側面に当接することがなく、前記アンカーナット２の前記雌ネジ溝２１に前記アンカーボルト４の前記雄ネジ溝４１が円滑に螺合する。
【００３５】  そして、前記アンカーボルト４の前記雄ネジ溝４１が前記アンカーナット２の前記雌ネジ溝２３に螺合した後、前記コイルバネ５の前記コイル部５１は、前記アンカーボルト４の前記雄ネジ溝４１に嵌り込み、前記コイル部５１の素線の弾性力により前記アンカーボルト４の軸中心に向って押さえ付けられる。
【００３６】  次に、前記建築構築部７からの振動が伝わり、前記アンカーナット２の前記雌ネジ溝２３に対し前記アンカーボルト４に離脱方向Ｒの回転が生じても、前記バネ収容部２４内において前記コイルバネ５の前記コイル部５１は、前記先端５４を支点として内径方向に収縮する状態となるよう前記コイルバネ５の前記コイル部５１の素線が引っ張られて前記アンカーボルト４の前記雄ネジ溝４１を締め付け、強力な緩み止め状態にされる。このため、前記コイルバネ５と一体となった前記アンカーボルト４は前記コイルバネ５の前記コイル部５１の部分で回転が阻止されて緩まなくなる。
【００３７】  また、前記アンカーボルト４を前記アンカーナット２から離脱させるため、振動等により生じる回転以上の力で回転をさせると、前記アンカーボルト４の回転によって前記コイルバネ５が引きずられて回動し、前記コイル部５１の軸線に対し平行になるよう屈曲してなる前記先端５４が前記縦溝２５の他側面に当接し、これにより前記コイル部５１が外方に拡径し、摩擦がなくなるか、あるいは軽減する等で自由に回転できるようになり、前記アンカーボルト４の前記雄ネジ溝４１を保護しながら前記アンカーナット２から容易に離脱することができる。
【００３８】  しかし、場合によっては、前記アンカーボルト４の離脱方向へ回転させる力が大きくなり過ぎ、前記先端５４が臨んでいる前記縦溝２５に負荷が集中してかかることになり、前記縦溝２５が破損したり、変形し、また前記先端５４が破損したり、伸びる等変形して前記先端５４が前記縦溝２５から外れることもある。
【００３９】  次に、第２の実施の形態について、図５に基づいて説明する。この実施の刑態において第１の実施の形態と同じ構成は同一の符号を付して説明する。
【００４０】  この第２の実施の形態では、第１の実施の形態と同じように前記アンカーナット２の前記先端部２ｂ側に位置する前記バネ収納部２４に前記コイルバネ５１を設置する。
【００４１】  前記コイルバネ５は等間隔のピッチを有するコイル部５１と、このコイルバネ５の前記コイル部５１の前記一端部５２の外周の接線上に沿い前記アンカーボルト４の離脱方向Ｒに延出し、前記コイル部５１の軸線に対して平行に前記アンカーナット２の前記底部２ａ側に向かって屈曲する先端５５とよりなる。
【００４２】  この第２の実施の態様においても、前記コイル部５１の前記一端部５２に対向する前記他端部５３を前記バネ収納室２４の内径と同一の外径とすることにより、前記コイルバネ５の前記他端部５３が前記バネ収納室２４の内面に当接し、前記コイルバネ５がバネ収納室２４内で傾いて配置されることがなく、前記雄ネジ溝４１が前記コイル部５１に円滑に螺合できる。
【００４３】  しかも、前記コイルバネ５の前記コイル部５１の前記一端部５２の外周の接線上に沿いに延出してなり、前記アンカーボルト４の前記雄ネジ溝４１の先端を前記コイル部５１の前記一端部５２に挿入し易く、前記コイルバネ５の前記コイル部５１に対する螺合の開始が円滑なる。
【００４４】  更に、第３の実施の形態について、図６、図７に基づいて説明する。この実施の形態において第１の実施の形態と同じ構成は同一の符号を付して説明する。
【００４５】  第１の実施の形態で説明しているコイルバネ５は、前記コイル部５１の前記一端部５２より前記他端部５３まで同径で、前記コイルバネ５は等間隔のピッチを有するコイル部５１とする。
【００４６】  前記コイルバネ５の前記コイル部５１の前記他端部５３の外周の接線上に沿い前記アンカーボルト４の離脱方向Ｒに延出し、前記コイル部５１の軸線に対して平行に前記アンカーナット２の前記先端部２ｂ側に向かって屈曲する先端５４とよりなる。
【００４７】  この第３の実施の形態において、前記バネ収納室２４の前記挿入口２４ａに抜け止めリング６を嵌合し、前記縦溝２７内に前記コイル部５１の軸線に対し平行になるよう屈曲してなる前記先端５４が軸方向に移動可能状態になっていても、前記バネ収納室２４に設置した前記コイルバネ５が脱落することを阻止する。なお、前記符号６１は抜き止めリング６に設けた切欠きで、前記リング６を縮径して前記挿入口２４ａに嵌合する。
【００４８】  さらに、前記コイル部５１の前記一端部５２に対向する他端部５３を前記バネ収納室２４の内径と同一の外径とし、前記コイルバネ５の前記他端部５３が前記バネ収納室２４の内面に当接させることにより、前記コイルバネ５が収納室２４内で傾いないように配置してもよい。
【００４９】  以上の構成における拡張アンカー装置において、前記アンカーナット２に螺合した前記アンカーボルト４の離脱方向Ｒへの回転に対し、前記アンカーボルト４の前記雄ネジ溝４１に前記コイルバネ５の前記コイル部５１が密着し摩擦力により回転を阻止するので、前記構築物７から前記アンカーナット２に伝わる振動などで、前記アンカーナット２に螺合した前記アンカーボルト４が緩み脱落することを確実に防止でき、しかも、前記アンカーナット２の前記バネ収納室２４に収納する前記コイルバネ５に前記アンカーボルト４の前記雄ネジ４１を容易に螺合することできる。
【００５０】  また、前記コイルバネ５は前記コイル部５１の軸線に対して平行に延出する前記先端５４、５５を、前記バネ収納室２４の前記周壁２４ｂに開口した前記縦溝２５内で軸線方向に移動可能にするので、前記アンカーナット２に前記アンカーボルト４を挿入して、前記コイルバネ５の前記コイル部５１に前記アンカーボルト４の前記雄ネジ溝４１が螺合すると、前記コイルバネ５の前記先端５４、５５が前記縦溝２５内で軸方向に移動し、前記アンカーボルト４の前記雄ネジ溝４１のピッチに前記コイル部５１のピッチが合致するように調整できる。
【００５１】  前記コイルバネ５の前記一端部５２を前記コイル部５１の外周の接線上に沿い前記アンカーボルト４の離脱方向Ｒに延出し、前記アンカーナット２の外周以内に突出してなるので、前記アンカーボルト４を前記アンカーナット２より取り外す際、前記アンカーボルト４の離脱方向Ｒへの回転によって前記コイルバネ５が引きずられて回動し、前記コイルバネ５の前記一端部５２の先端が前記縦溝２５の他側面に当たり、これにより前記コイルバネ５が外方へ広がり、前記アンカーボルト４の前記雄ネジ溝４１に密着する前記コイル部５１との間に隙間ができ、摩擦が無くなるか、あるいは軽減する等で自由に回転できるようになり、前記アンカーボルト４が緩められ前記アンカーボルト４の前記雄ネジ溝４１を保護しながら前記アンカーナット２から支障なく離脱できる。
【００５２】  しかも、前記コイル部５１の前記一端部５２に対向する他端部５３は、前記バネ収納室２４の内径と同一の外径とし、前記コイルバネ５の前記他端部５３が前記バネ収納室２４の内面に当接することになり、前記コイルバネ５がバネ収納室２４内で傾いて配置されることがなく、前記コイルバネ５の前記コイル部５１に前記アンカーボルト４が円滑に螺合する。また、前記縦溝２５に前記コイル部５１より延出する前記先端５４、５５が軸方向に移動可能になっていても、前記コイルバネ５が前記バネ収納部２４から脱落することを確実に防止できる。
【００５３】  なお、前記抜け止めリング６に設けた前記切欠き６１で縮径させた前記リング６を前記バネ収納室２４の前記挿入口２４ａに嵌合させ、前記コイルバネ５が前記バネ収納部２４から脱落することを阻止するとか、前記アンカーナット２の前記先端部２ｂに前記カシメ部を形成するとかにより、前記コイルバネ５が前記バネ収納部２４から脱落することを確実に防止できる。
【産業上の利用可能性】
【００５４】  この発明は、建築構造物からの振動が伝わるアンカーナットに螺合するアンカーボルトの緩みを確実に防ぐとともに、アンカーナット対するアンカーボルトの螺合が容易にする。
【符号の説明】
【００５５】１          拡張アンカー
２          アンカーナット
２ａ        底部
２ｂ        先端部
２ｃ        中間部
２１        割り溝
２２        拡開部
２３        雌ネジ溝
２４        バネ収納室
２４ａ      挿入口
２４ｂ      周壁
２５        縦溝
３          コーン
４          アンカーボルト
４１        雄ネジ溝
５          コイルバネ
５１        コイル部
５２        一端部
５３        他端部
５４，５５  先端
６          抜け止めリング
６１        切欠け
７          建築構造物
８          下孔
９          部品支持部材
Ｈ          バネ高さ
Ｄ          バネ収納室の深さ
Ｌ          割り溝の延長線
Ｒ          アンカーボルトの離脱方向
【図１】
2018066251.tif 000003
【図２】
2018066251.tif 000004
【図３】
2018066251.tif 000005
【図４】
2018066251.tif 000006
【図５】
2018066251.tif 000007
【図６】
2018066251.tif 000008
【図７】
2018066251.tif 000009
【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
建築構造物に穿設された下孔に埋設する拡張アンカーであって、底部に複数の割り溝が設けられて拡開可能な拡開部を有し、中間部の内周に雌ネジ溝が形成される筒状のアンカーナットと、前記アンカーナットの前記雌ネジ溝に螺合される雄ネジ溝を有するアンカーボルトと、前記拡開部に嵌入されるコーンとを備え、
前記アンカーボルトの前記雄ネジ溝に嵌り込むコイル部を有するコイルバネと、このコイルバネを収容可能とし、前記雌ネジ溝より前記アンカーナットの先端部に位置するバネ収納室と、前記バネ収納室の周壁に縦溝を開口してなり、
前記コイルバネは前記コイル部の一端部または他端部の外周より接線上に沿い延出し、前記コイル部の軸線に対し平行になるよう屈曲してなる先端を有し、
前記先端を前記縦溝に挿入し、前記コイル部を前記バネ収納室内で、円周方向の移動を規制するとともに、軸方向に移動可能にすることを特徴とする拡張アンカー。
【請求項２】
前記コイルバネの前記コイル部の前記一端部に対向する前記他端部を前記バネ収納室の内径と同一の外径とし、この前記他端部を二巻以内とすることを特徴とする請求項１に記載の拡張アンカー。
【請求項３】
前記コイル部の前記一端部から前記他端部までのバネ高さは、前記バネ収納室の深さ以下とすることを特徴とする請求項２に記載の拡張アンカー。
【手続補正２】
【補正対象書類名】明細書
【補正対象項目名】０００７
【補正方法】変更
【補正の内容】
【０００７】  請求項１に記載の発明は、建築構造物に穿設された下孔に埋設する拡張アンカーであって、底部に複数の割り溝が設けられて拡開可能な拡開部を有し、中間部の内周に雌ネジ溝が形成される筒状のアンカーナットと、前記アンカーナットの前記雌ネジ溝に螺合される雄ネジ溝を有するアンカーボルトと、前記拡開部に嵌入されるコーンとを備え、
前記アンカーボルトの前記雄ネジ溝に嵌り込むコイル部を有するコイルバネと、このコイルバネを収容可能とし、前記雌ネジ溝より前記アンカーナットの先端部に位置するバネ収納室と、前記バネ収納室の周壁に縦溝を開口してなり、
前記コイルバネは前記コイル部の一端部または他端部の外周より接線上に沿い延出し、前記コイル部の軸線に対し平行になるよう屈曲してなる先端を有し、
前記先端を前記縦溝に挿入し、前記コイル部を前記バネ収納室内で、円周方向の移動を規制するとともに、軸方向に移動可能にすることを特徴とする拡張アンカーである。
【手続補正３】
【補正対象書類名】明細書
【補正対象項目名】００１２
【補正方法】変更
【補正の内容】
【００１２】  請求項１に記載の発明では、建築構造物に穿設された下孔に埋設する拡張アンカーであって、底部に複数の割り溝が設けられて拡開可能な拡開部を有し、中間部の内周に雌ネジ溝が形成される筒状のアンカーナットと、前記アンカーナットの前記雌ネジ溝に螺合される雄ネジ溝を有するアンカーボルトと、前記拡開部に嵌入されるコーンとを備え、
前記アンカーボルトの前記雄ネジ溝に嵌り込むコイル部を有するコイルバネと、このコイルバネを収容可能とし、前記雌ネジ溝より前記アンカーナットの先端部に位置するバネ収納室と、前記バネ収納室の周壁に縦溝を開口してなり、
前記コイルバネは前記コイル部の一端部または他端部の外周より接線上に沿い延出し、前記コイル部の軸線に対し平行になるよう屈曲してなる先端を有し、
前記先端を前記縦溝に挿入し、前記コイル部を前記バネ収納室内で、円周方向の移動を規制するとともに、軸方向に移動可能にするので、前記アンカーナットに螺合した前記アンカーボルトを緩めようとする振動などに対し、前記コイルバネの前記コイル部が前記アンカーボルトの前記雄ネジ溝に密着して回転を阻止することになり、前記アンカーナットに螺合する前記アンカーボルトが緩み脱落することを確実に防止できる。